(57)【特許請求の範囲】
【請求項１】
印刷物の取り数を計数するとともに、この計数結果に基づいて印刷物を所定部数に区分けする区分け装置を有する印刷機に設けられ、前記区分け装置から送出される印刷物を受け取り、予め設定された部数の前記印刷物をストックして前記印刷物の紙束を作成する紙束作成部を有するカウンタスタッカにおいて、
前記紙束作成部の上方であって前記区分け装置の送出口の近傍に、一時的に複数部数の前記印刷物をストックする予紙束作成部を設け、
この予紙束作成部に、支持部材と、この支持部材に支持され、前記予紙束作成部で作成された紙束を前記紙束作成部に受け渡すために開閉するシャッタと、前記シャッタ上の前記送出方向の両側に前記印刷物とほぼ同じ幅で配置して前記支持部材に設けられ、前記シャッタが開いたときに前記印刷物の両側を案内しつつ前記紙束作成部に受け渡すガイドと、前記支持部材に設けられ、前記シャッタを開閉させる駆動手段とを設け、
前記シャッタ及び前記ガイドを、前記区分け装置から印刷物が送出される送出口の近傍であって、前記送出口から送出される印刷物が受け取りが可能な第一の位置と、この第一の位置よりも上方であって、シャッタを閉じた状態で前記区分け装置からの前記印刷物の送出を妨げない第二の位置との間で移動可能にするとともに、前記第一の位置と前記第二の位置との間で、前記シャッタ及び前記ガイドを移動させる移動手段と、前記区分け装置から送出される印刷物を計数し、予め設定された部数になったときに前記移動手段を駆動させるための計数手段とを設けたこと、
を特徴とするカウンタスタッカ。
【請求項２】
前記印刷物の送出方向に対して交叉する方向に、一対の前記シャッタが開閉して、前記紙束を前記紙束作成部に受け渡すことを特徴とする請求項１に記載のカウンタスタッカ。
【請求項３】
前記予紙束作成部を上下に回動自在に設け、前記移動手段は、前記第一の位置と前記第二の位置との間で前記ガイド及びシャッタを回動させて移動させることを特徴とする請求項１又は２に記載のカウンタスタッカ。
【請求項４】
前記予紙束作成部を垂直軸に沿って昇降自在に設け、前記移動手段は、前記第一の位置と前記第二の位置との間で前記ガイド及びシャッタを昇降させて移動させることを特徴とする請求項１又は２に記載のカウンタスタッカ。
【請求項５】
前記移動手段が、前記第一の位置よりも下方の第三の位置に、前記ガイド及びシャッタを移動させ、この第三の位置で前記予紙束作成部から前記紙束作成部に印刷物を受け渡すことを特徴とする請求項１〜４のいずれかに記載のカウンタスタッカ。
【請求項６】
前記移動手段が、前記予紙束作成部にストックされる前記印刷物の部数に応じて、前記ガイド及び前記シャッタを前記第一の位置から徐々に前記第三の位置に移動させることを特徴とする請求項５に記載のカウンタスタッカ。
【請求項７】
請求項１〜６のいずれかに記載のカウンタスタッカの手前に設けられ、ずれ重ねて搬送される前記印刷物の取り数を計数するとともに、この計数結果に基づいて前記印刷物を所定部数に区分けして前記カウンタスタッカに受け渡す区分け装置において、
前記印刷物の搬送路の下流に設けられ、前記印刷物を挟持する上下の引き抜きローラと、
前記搬送路の下側に前記搬送路に沿って形成され、前記印刷物を載置して搬送する搬送面と、
下方の前記引き抜きローラと前記搬送面とを一体に支持するとともに、上方の前記引き抜きローラに対して移動自在にする支持手段と下方の前記引き抜きローラ及び前記搬送面を、上方の前記引き抜きローラ側に付勢する付勢手段と、
前記下引き抜きローラの近傍に位置決めして前記搬送路の上方に設けられ、前記搬送路に向けて出没自在であるとともに、前記搬送路に向けて突出して前記印刷物の搬送を規制するストッパと、
を有することを特徴とする区分け装置。
【請求項８】
前記上方の引き抜きローラを前記下方の引き抜きローラよりも搬送方向下流側に突出させて配置したことを特徴とする請求項７に記載の区分け装置。
【請求項９】
請求項１〜６のいずれかに記載のカウンタスタッカにおける紙束作成方法において、
前記区分け装置で区分けが可能な最小単位部数よりも少ない所望の部数の印刷物からなる紙束を作成する場合に、
前記所望の部数を、前記区分け装置で区分けが可能な部数に加えた部数を前記区分け装置から前記紙束作成部に送り出すように予め設定し、
前記区分けが可能部数に前記所望の部数を加えた部数の印刷物を前記区分け装置から前記紙束作成部に送り出す前に、前記ガイド及び前記シャッタを前記第一の位置から前記第二の位置に移動させて待機させ、
前記区分け装置から前記紙束作成部に送り出される印刷物の部数をカウンタで計数し、
前記区分け装置から送出される前記印刷物の残りの部数が前記所望の部数になったときに、前記ガイド及び前記シャッタを前記第二の位置から前記第一の位置に移動させること、
を特徴とするカウンタスタッカにおける紙束作成方法。
【発明の詳細な説明】
【０００１】
【発明の属する技術分野】
本発明は、印刷機で印刷され、区分け装置で所定部数に計数，区分けして供給された印刷物を、前記所定部数づつの紙束にして次工程に受け渡すカウンタスタッカ、このカウンタスタッカに前記所定部数に区分けした印刷物を受け渡すための区分け装置及び前記カウンタスタッカにおける紙束作成方法に関する。
【０００２】
【従来の技術】
輪転機等の印刷機で印刷された印刷物を、所定部数づつに区分けする区分け装置と、この区分け装置によって所定部数に区分けされた前記印刷物を段積みにして、印刷物の紙束を作成するカウンタスタッカとが知られている。
ここで、例えば、新聞印刷用の輪転機に使用される区分け装置及びカウンタスタッカは、印刷済み及び折り畳み済みの新聞を、予め設定された部数だけ区分け装置からカウンタスタッカのバッチ作成部に送出し、このバッチ作成部で新聞の紙端を揃えてバッチと称される一つの紙束を作成する。そして、カウンタスタッカの下部に設けられた回転バスケットで、前記紙束を交互に所定段数積み重ねて、スタックと称される一つの山を作成している。このような区分け装置及びカウンタスタッカは、新聞印刷用の輪転機においては結束工程及び包装工程の上流に設けられていて、カウンタスタッカで作成された各スタックに宛名工程で宛名が付されて、それぞれの配送先に発送されるようになっている。
【０００３】
ところで、上記したような新聞印刷用の輪転機に設けられるカウンタスタッカ及び区分け装置には、新聞の区分け及びバッチ作成部への新聞の受け渡しにおいて、以下のような問題点がある。
（１）区分けに関する問題点
▲１▼  近年の輪転機の性能の向上によって印刷速度の高速化が進展しているが、これに合わせて、カウンタスタッカや区分け装置等の各機器の高速化も進展している。一般に、新聞印刷用の輪転機では、前記したように、各バッチを互い違いに積み重ねてスタックを作成しているが、このスタックを作成する際に、回転バスケットで各バッチの方向を１８０度反転させて段積みにすることが行なわれている。
【０００４】
そして、回転バスケットでバッチを反転させている間も、バッチ作成部ではバッチの作成が行なわれているため、回転バスケットによるバッチの反転時間が、バッチを構成する新聞の最小部数を決定することになる。例えば、２０部／秒の速度で区分け装置からバッチ作成部に新聞が送出される場合に、バッチの反転に１秒を要するとすると、バッチを構成する新聞の最小部数単位は２０部となる。現在では、バッチの反転速度の改善により最小部数単位が向上してきているが、それでも１５部程度であり、これより少ない部数の新聞からなるバッチを作成することは困難であるという問題がある。
【０００５】
▲２▼  カウンタスタッカで正確な部数の新聞からなるバッチを安定的に作成するには、カウンタスタッカに所定部数ずつ新聞を区分けして受け渡す区分け装置において、区分けのタイミングを正確かつ確実に行なう必要がある。
カウンタスタッカには、所定部数づつ新聞を区分けするためのストッパが設けられていて、このストッパを、搬送される新聞と新聞との間に投入することで、新聞の区分けが行なわれる。
しかし、１５万部／時近い印刷能力を有する近年の輪転機においては、前記ストッパの前を通過する新聞の速度は０．０５秒／部ときわめて高速である。そのため、所定部数のところで、正確かつ確実に前記ストッパを新聞と新聞の間に投入して新聞の区分けをするには、前記ストッパと前記搬送路を搬送される新聞との間隔が常に一定の適正位置に保たれている必要がある。また、新聞は、頁数によって一部あたりの厚みが変わるため、頁数の異なる全ての新聞についてストッパを最適位置に保持させる必要がある。そのため、従来は、ストッパの位置をハンドル等の操作によって調整自在にし、新聞の厚みが切り替わったときに、オペレータがこのハンドルを操作してストッパの高さ位置を調整していた。しかしながら、このような作業は面倒であるうえ輪転機の稼働率が低下し、かつ、高さ位置の調整がオペレータによってばらつく等の問題があった。また、新聞の頁数に合わせて自動的にストッパの位置調整を行なうようにすることも可能であるが、区分け装置の構成及び制御が複雑になるうえ、価格も高くなるという問題があった。
【０００６】
（２）バッチ作成部への新聞の受け渡しに関する問題
近年の輪転機では、少数頁の新聞から多数頁の新聞まで幅広く対応することができるように、カウンタスタッカの新聞を集積する各部分の高さ、特に、バッチ作成部の間の高さが高くなる傾向にある。しかし、このようにバッチ作成部の間の高さが高くなると、区分け装置とバッチ作成部の間の高低差が大きくなり、区分け装置から送出される新聞の落下高さも高くなって、区分け装置からバッチ作成部の底部へ落下するまでの間に、新聞が予期しない方向に偏向したり、新聞の端が折れたりするという不具合が発生する可能性が高くなる。このような不具合は、特に、小数頁で薄手の新聞に発生しやすく、新聞の端が折れるなどの不具合が発生すると、紙束作成部で積み重ねられた紙束が傾いて荷崩れを起こしやすくなり、ひとたび荷崩れが生じると、カウンタスタッカや輪転機を含む全ての装置の稼働を停止させて、荷崩れした新聞を除去しなければならないという問題がある。
また、カウンタスタッカよりも後の工程において、例えば、搬送中の新聞に破れや汚れを生じさせたり、包装結束機等で余計な折れ曲がりや裂けを生じさせたりして、新聞の商品価値を著しく低下させるという問題がある。
【０００７】
【発明が解決しようとする課題】
本発明は、上記の問題点にかんがみてなされたもので、カウンタスタッカ及び区分け装置における上記した区分けに関する問題及び紙束作成部への新聞の受け渡しに関する問題を解決することができ、区分け装置から送出された所定部数の印刷物を、偏向や端折れが生じない状態で確実かつ安定的に紙束作成部に受け渡して紙束を作成することができるようにするとともに、最小部数よりも少ない部数からなる端数の紙束を容易に作成することができる、簡単な構成のカウンタスタッカ、カウンタスタッカに用いられる区分け装置及びこのカウンタスタッカにおける紙束作成方法を提供することを目的とする。
【０００８】
【課題を解決するための手段】
上記の課題を解決するために、請求項１に記載の発明は、印刷物の取り数を計数するとともに、この計数結果に基づいて印刷物を所定部数に区分けする区分け装置を有する印刷機に設けられ、前記区分け装置から送出される印刷物を受け取り、予め設定された部数の前記印刷物をストックして前記印刷物の紙束を作成する紙束作成部を有するカウンタスタッカにおいて、前記紙束作成部の上方であって前記区分け装置の送出口の近傍に、一時的に複数部数の前記印刷物をストックする予紙束作成部を設け、この予紙束作成部に、支持部材と、この支持部材に支持され、前記予紙束作成部で作成された紙束を前記紙束作成部に受け渡すために開閉するシャッタと、前記シャッタ上の前記送出方向の両側に前記印刷物とほぼ同じ幅で前記支持部材に配置して設けられ、前記シャッタが開いたときに前記印刷物の両側を案内しつつ前記紙束作成部に受け渡すガイドと、前記支持部材に設けられ、前記シャッタを開閉させる駆動手段とを設け、前記シャッタ及び前記ガイドを、前記区分け装置から送出された印刷物の受け取りが可能な第一の位置と、この第一の位置よりも上方であって、シャッタを閉じた状態で前記区分け装置からの前記印刷物の送出を妨げない第二の位置との間で移動可能にするとともに、前記第一の位置と前記第二の位置との間で、前記シャッタ及び前記ガイドを移動させる移動手段と、前記区分け装置から送出される印刷物を計数し、予め設定された部数になったときに前記移動手段を駆動させるための計数手段とを設けた構成としてある。
【０００９】
この構成によれば、区分け装置から送出された印刷物は、区分け装置の送出口近傍に設けられた予紙束作成部に導入される。ここで所定部数の印刷物からなる紙束が作成され、シャッタを開放することで紙束作成部に受け渡される。このとき、シャッタの両側に設けられたガイドが、紙束を両側から案内するので、予紙束作成部から紙束作成部に、紙束がスムースに受け渡される。
また、区分け装置で区分けすることができる最小部数よりも少ない端数の印刷紙束を作成する場合には、前記印刷物の送出の途中で前記シャッタ及び前記ガイドを第二の位置から第一の位置まで移動させればよい。すなわち、このような場合には、前記シャッタ及びガイドを第二の位置で待機させておき、区分け装置から送出される印刷物の部数が所定部数になったときに、前記シャッタを第二の位置から第一の位置に移動させればよいわけである。例えば、区分け装置で区分けすることのできる部数の最小単位が１５部である場合であっても、送出の途中でシャッタ及びガイドを第二の位置から第一の位置に移動させることで、１部〜１４部の範囲内の部数の紙束を作成することができる。
【００１０】
請求項２に記載の発明は、前記印刷物の送出方向に対して交叉する方向に、一対の前記シャッタが開閉して、前記紙束を前記紙束作成部に受け渡すように構成されている。このように、シャッタが印刷物の投入方向に対して交叉する方向に開閉することで、シャッタの開閉をすばやく行うことができ、予紙束作成部で作成された紙束を、崩れさせることなく、迅速かつスムースに紙束作成部に受け渡すことができる。また、シャッタの開閉方向両側にガイドが設けられているので、シャッタを開く際にも紙束作成部に対する紙束の位置がずれるということがなく、予紙束作成部から紙束作成部に紙束を受け渡す際に、印刷物の端が折れ曲がったり、紙束が偏向するというような不都合も生じない。
【００１２】
前記シャッタと前記ガイドとの移動は、請求項３に記載するように、前記予紙束作成部を上下に回動自在に設け、前記第一の位置と前記第二の位置との間で前記ガイド及びシャッタを回動させて移動させるようにして行なうようにしてもよいし、請求項４に記載するように、前記予紙束作成部を垂直軸に沿って昇降自在に設け、前記第一の位置と前記第二の位置との間を、前記シャッタが昇降するように設けてもよい。
【００１３】
また、請求項５に記載するように、前記移動手段が、前記第一の位置よりも下方の第三の位置に、前記ガイド及びシャッタを移動させ、この第三の位置で前記予紙束作成部から前記紙束作成部に印刷物を受け渡すように構成してもよい。このように構成することで、予紙束作成部で作成した紙束を、紙束作成部に近づけて受け渡すことが可能になる。そのため、紙厚の薄い印刷物であっても、端部の折れや偏向等することなく、紙束作成部で紙束を作成することができる。なお、この場合、前記シャッタと前記ガイドとを第一の位置と第二の位置との間で回動自在にし、さらに、前記第一の位置と前記一つ又は複数の位置との間で昇降自在にするように構成してもよい。
【００１４】
また、請求項６に記載するように、前記移動手段が、前記予紙束作成部にストックされる前記印刷物の部数に応じて、前記ガイド及び前記シャッタを前記第一の位置から徐々に前記第三の位置に移動させるものであってもよい。このように構成することで、印刷物の最上面と区分け装置の送出口との高低差をほぼ一定に保ちながら、シャッタ上に印刷物を受け渡すことが可能になる。
【００１５】
請求項７に記載の発明は、請求項１〜６のいずれかに記載のカウンタスタッカの手前に設けられ、ずれ重ねて搬送される前記印刷物の取り数を計数するとともに、この計数結果に基づいて前記印刷物を所定部数に区分けして前記カウンタスタッカに受け渡す区分け装置において、前記印刷物の搬送路の下流に設けられ、前記印刷物を挟持する上下の引き抜きローラと、前記搬送路の下側に前記搬送路に沿って形成され、前記印刷物を載置して搬送する搬送面と、下方の前記引き抜きローラと前記搬送面とを一体に支持するとともに、上方の前記引き抜きローラに対して移動自在にする支持手段と、下方の前記引き抜きローラ及び前記搬送面を、上方の前記引き抜きローラ側に付勢する付勢手段と、前記下引き抜きローラの近傍に位置決めして前記搬送路の上方に設けられ、前記搬送路に向けて出没自在であるとともに、前記搬送路に向けて突出して前記印刷物の搬送を規制するストッパとを有する構成としてある。
【００１６】
この構成によれば、例えば、頁数の少ない薄手の印刷物から、頁数の多い厚手の印刷物に切り替えられると、前記厚手の印刷物が上下の引き抜きローラを通過する際に、付勢手段の付勢力に抗して、前記下方の引き抜きローラを厚みの変化分だけ押し下げる。このとき、搬送面も前記下方の引き抜きローラと同量だけ下方に移動する。これにより、搬送路の上方に設けられたストッパと、搬送路を搬送される印刷物との間の間隔を一定に保つことができる。また、例えば、請求項３に記載したカウンタスタッカにおいて、前記第一の位置を前記上下の引き抜きローラの間から送出される印刷物のきわめて近傍に位置させることが可能になり、前記第一の位置から前記第二の位置へのシャッタの移動を迅速に行なって、少部数の端数からなる紙束の作成を確実かつ容易に行なうことが可能になる。
【００１７】
請求項８に記載の発明は、前記上方の引き抜きローラを前記下方の引き抜きローラよりも搬送方向下流側に突出させて配置した構成としてある。この構成によれば、搬送方向の下流側に突出する上方の引き抜きローラが、上下の引き抜きローラから送出された印刷物を下方のカウンタスタッカに向けて差し向けることができる。これにより、カウンタスタッカへの印刷物の受け渡しをより確実に行なうことができるようになる。
【００１８】
本発明は、請求項９に記載した方法によっても達成することが可能である。請求項９に記載の発明は、印刷物の取り数を計数するとともに、この計数結果に基づいて印刷物を所定部数に区分けする区分け装置を有する輪転機に設けられ、前記区分け装置から送出される印刷物を受け取り、予め設定された部数の前記印刷物をストックして前記印刷物の紙束を作成する紙束作成部を有するカウンタスタッカにおける紙束作成方法において、前記区分け装置で区分けが可能な最小単位部数よりも少ない所望の部数の印刷物からなる紙束を作成する場合に、前記所望の部数を、前記区分け装置で区分けが可能な部数に加えた部数を前記区分け装置から前記紙束作成部に送り出すように予め設定し、前記区分けが可能部数に前記所望の部数を加えた部数の印刷物を前記区分け装置から前記紙束作成部に送り出す前に、前記ガイド及び前記シャッタを前記第一の位置から前記第二の位置に移動させて待機させ、前記区分け装置から前記紙束作成部に送り出される印刷物の部数をカウンタで計数し、前記区分け装置から送出される前記印刷物の残りの部数が前記所望の部数になったときに、前記ガイド及び前記シャッタを前記第二の位置から前記第一の位置に移動させる方法である。
【００２２】
【発明の実施の形態】
以下、本発明の好適な実施形態を、図面を参照しながら詳細に説明する。
なお、以下の説明で「上下」というときには、図１のカウンタスタッカの上下を、「前後」というときには、図１のカウンタスタッカの左右を、また、「左右」というときには、図２に示すカウンタスタッカの左右をそれぞれ示すものとする。
【００２３】
［カウンタスタッカの構成の説明］
図１は、本発明のカウンタスタッカの一実施形態にかかり、その側面図、図２は、図１のカウンタスタッカにおける予紙束作成部の平面図である。
カウンタスタッカ１は、新聞Ｐを所定部数づつに区分けする区分け装置２に隣接して設けられる。区分け装置２は、新聞Ｐを一部ずつ前後に均等ピッチでずらした状態で搬送する搬送キャリア２１と、この搬送キャリア２１によって搬送されている新聞Ｐの部数を計数する図示しない計数センサと、この計数センサによって所定部数の新聞Ｐが計数されたときに新聞Ｐと新聞Ｐの間に突出し、前記所定部数以後の新聞Ｐの搬送を停止させて区分けを行なうストッパ２２とを有している。
【００２４】
カウンタスタッカ１の筐体１０２には、所定部数の新聞Ｐから構成されるバッチ（紙束）を作成する紙束作成部としてのバッチ作成部１４０と、このバッチ作成部１４０の下方に設けられ、バッチ作成部１４０から供給されたバッチを一時的に収容する中間受け部１５０と、この中間受け部１５０の下方に設けられ、中間受け部１５０から受け取ったバッチを反転させながら互い違いに積み重ねてスタックを作成する回転バスケット１６０とを有している。
本発明にかかる予紙束作成部１１０は、バッチ作成部１４０の上方であって、新聞Ｐが送出される区分け装置２の送出口２ａの近傍に設けられている。
【００２５】
［予紙束作成部］予紙束作成部１１０は、筐体１０２を左右に横断する方向に設けられた支持部材としてのガイドロッド１１１と、このガイドロッド１１１に沿って左右方向に移動自在に設けられ、互いに接近する方向又は互いに離間する方向に移動することで予紙束作成部１１０の底部の開閉を行う一対のシャッタ１１４，１１４と、ガイド取付部材１２３，１２３によってガイドロッド１１１に取り付けられ、新聞Ｐの紙幅とほぼ同じ幅を有するように配置された左右一対のガイド１１２，１１２と、このガイド１１２，１１２とシャッタ１１４，１１４とを上下方向に回動させるエアシリンダ１２５とを有している。エアシリンダ１２５は、二つのエアシリンダを直列に連結したもので、ガイド１１２，１１２とシャッタ１１４，１１４とを二段階に回動させることができるようになっている。
【００２６】
ガイドロッド１１１は、筐体１０２の対向する内壁に、支持部材１０４，１０４によってその両端を支持されているとともに、支持部材１０４，１０４に設けられた軸受１０３，１０３によって回転自在である。
ガイドロッド１１１の両端部及び中央部には、シリンダ支持部材１１６，１１７がガイドロッド１１１と一体に回転できるように取り付けられている。また、予紙束作成部１１０に送出された新聞Ｐの紙端を揃えるための当接板１１３は、ガイド１１２，１１２とシャッタ１１４，１１４と干渉しない位置で、図示しない取付部材によって筐体１０２に取り付けられ、バッチ作成部１４０及び予紙作成部１１０まで延びている。
【００２７】
さらに、ガイドロッド１１１には、ガイドロッド１１１に沿って互いに接近方向及び離間方向に移動自在な一対のスライダ１１５，１１５が設けられている。シャッタ１１４，１１４は、それぞれ、このスライダ１１５，１１５に取り付けられている。
ガイド１１２，１１２は、予紙束作成部１１０の底部を閉じた状態のシャッタ１１４，１１４の両側に配置されている。ガイド１１２，１１２には、開閉時にシャッタ１１４，１１４が出入りする開口が形成されている。また、その下端は、シャッタ１１４，１１４から下方に延び、下端の一部がバッチ作成部１４０のガイド１４２，１４２の上端の近傍に位置するようになっている。
【００２８】
シリンダ支持部材１１６，１１７には、スライダ１１５，１１５をガイドロッド１１１に沿って互いに接近する方向又は互いに離間する方向に移動させる一対のエアシリンダ１１９，１１９が、対向して取り付けられている。このエアシリンダ１１９，１１９は、それぞれの伸縮自在なピストンロッド１２０，１２０が互いに干渉しないように、図１に示すように上下の高さ位置を変えて配置されている。
エアシリンダ１１９，１１９の伸縮自在なピストンロッド１２０，１２０の先端は、スライダ１１５，１１５に取り付けられた連結部材１２１，１２１に連結されている。エアシリンダ１１９，１１９が駆動してピストンロッド１２０，１２０が伸長すると、連結部材１２１，１２１及びスライダ１１５，１１５を介してシャッタ１１４，１１４が互いに離間する方向に移動し、ピストンロッド１２０，１２０が縮退すると、シャッタ１１４，１１４が互いに接近する方向に移動する。
【００２９】
筐体１０２の前方側の内壁には、シリンダ取付部材１０５が取り付けられ、このシリンダ取付部材１０５に、エアシリンダ１２５の基端部が回転自在に取り付けられている。エアシリンダ１２５の伸縮自在なピストンロッド１２６の先端は、シリンダ支持部材１１６，１１６，１１７，１１７のうちの一つから延出して設けられた連結部材１２４に連結されている。
【００３０】
エアシリンダ１２５が駆動してピストンロッド１２６を伸長させると、連結部材１２４が押し上げられ、ガイドロッド１１１及びこれに取り付けられたガイド１１２，１１２，シャッタ１１４，１１４，エアシリンダ１１９，１１９等が、図１中時計回り方向に回動する。この動作は、新聞Ｐを載置するシャッタ１１４，１１４をバッチ作成部１４０側に下降させることを意味し、これによって、予紙束作成部１１０からバッチ作成部１４０に新聞Ｐを受け渡す際の落下高さを小さくすることができる。
【００３１】
なお、エアシリンダ１２５は、シャッタ１１４，１１４上に積載される新聞Ｐの部数に比例してピストンロッド１２６を伸長させることができるものであるとよい。例えば、区分け装置２の計数センサによる計数結果に基づいて制御弁の開閉量を調整するようにしてもよいし、新聞Ｐの自重によってピストンロッド１２６が伸長するように、エアシリンダ１２５内のエア圧を予め調整してもよい。このようにすることで、送出部２ａから送出される新聞Ｐの落下高さを一定以下に保ったままで、予紙束作成部１１０の底部をバッチ作成部１４０の底部に近づけることができる。
【００３２】
［バッチ作成部］
予紙束作成部１１０の下方のバッチ作成部１４０の構成は、従来公知のものである。また、バッチ作成部１４０の底部の開閉を行うシャッタ及びこの開閉機構は、予紙束作成部１１０のシャッタ及びこの開閉機構と実質的に同じものである。
すなわち、筐体１０２を左右方向に横断してガイドロッド１４１が設けられ、このガイドロッド１４１に沿って左右方向に移動自在なスライダ１４５，１４５が設けられている。このスライダ１４５，１４５にはシャッタ１４４，１４４が取り付けられ、スライダ１４５，１４５とともにシャッタ１４４，１４４が互いに接近する方向又は互いに離間する方向に移動することができるようになっている。
また、ガイドロッド１１１には、新聞Ｐの紙幅とほぼ同じ幅を有するように配置された左右一対のガイド１４２，１４２と、シャッタ１４４，１４４を移動させるために対向して配置された一対のエアシリンダ１４９，１４９とが取り付けられている。そして、この一対のエアシリンダ１４９，１４９の駆動により、シャッタ１４４，１４４の開閉が行われる。
【００３３】
［中間受け部］
中間受け部１５０は、バッチ作成部１４０で作成されたバッチを一時的にストックし、回転バスケット１６０に受け渡すためのものである。その構成は従来公知のものである。また、シャッタ及びその開閉機構の構成は、上記したバッチ作成部１４０のシャッタ及びその開閉機構と実質的に同じである。
すなわち、中間受け部１５０は、筐体１０２を左右方向に横断するガイドロッド１５１、このガイドロッド１５１に沿って左右方向に移動自在なスライダ１５５，１５５、このスライダ１５５，１５５に取り付けられたシャッタ１５４，１５４、新聞Ｐの紙幅とほぼ同じ幅を有するように配置された左右一対のガイド１５２，１５２を有している。また、シャッタ１５４，１５４の開閉を行うエアシリンダ１５９，１５９がガイドロッド１５１に取り付けられ、この一対のエアシリンダ１５９，１５９の駆動により、シャッタ１５４，１５４の開閉が行われる。
この実施形態のカウンタスタッカ１の構成を詳細に説明したが、上記した各エアシリンダ１１９，１４９，１５９，１２５の駆動、回転バスケット１６０の回転及び区分け装置２からの新聞Ｐの送出のタイミング及び部数は、図示しないカウンタスタッカ又は発送工程の制御部によって制御することができる。
【００３４】
次に、上記構成のカウンタスタッカを利用したバッチ作成の例を、図３〜図５を参照しながら説明する。
［端数の区分け］図３は、最小部数単位以下の端数のバッチを作成する際のカウンタスタッカの作用を説明する図である。図３に示す例では、区分け装置２から送出された新聞Ｐの受け取りが可能な第一の位置である位置Ｂと、この位置Ｂよりも上方であって、区分け装置２の送出口２ａから送出された新聞Ｐの流れを妨げない第二の位置である位置Ａとの間で、シャッタ１１４，１１４及びガイド１１２，１１２を移動させるようにしている。区分け装置２から新聞Ｐの送出が開始される際の初期状態では、シャッタ１１４，１１４によって予紙束作成部１１０の底部が閉じられている。また、この初期状態においては、図３（ａ）に示すように、予紙束作成部１１０のシャッタ１１４，１１４及びガイド１１２，１１２は位置Ａに退避させられている。
【００３５】
この状態で、区分け装置２から新聞Ｐの送出を開始する。送出口２ａから送出された新聞Ｐは、図３（ａ）に示すように、バッチ作成部１４０に直接受け渡される。
送出口２ａから新聞Ｐが送出されている途中で、エアシリンダ１２５を駆動させてピストンロッド１２６を伸長させ、ガイドロッド１１１を中心にシャッタ１１４，１１４及びガイド１１２，１１２を位置Ｂに回動させると、これ以後、区分け装置２から送出された新聞Ｐは予紙束作成部１１０に受け渡されることになる。このことは、区分け装置２で区分けされた新聞Ｐをさらに区分けすることができるということ、さらには、区分け装置２で区分けすることができない小部数（端数）の紙束を作成することができるということを示している。
【００３６】
これを、具体的に説明する。区分け装置２で区分けすることのできる最小部数が１５部である場合に、これより少ない部数の紙束（例えば、３部の新聞からなる紙束）を作成する場合を例に挙げて説明する。なお、以下の説明では、１５部一バッチの紙束と２０部一バッチの紙束を積み重ねて、３５部の紙束からなるスタックを作成する過程で、端数の紙束を作成するものとする。この場合、最後のスタックの２０部のバッチに端数の３部を割り込ませるため、最後のスタックの区分け装置２の計数カウンタを予め２３部に設定しておく。
１５部一バッチの紙束及び２０部一バッチの紙束を作成する通常の過程においては、図３（ａ）に示すように、予紙束作成部１１０のシャッタ１１４，１１４及びガイド１１２，１１２は位置Ａに退避している。
【００３７】
図３に示すように、送出口２ａに送出口カウンタ２５を設けておき、送出口２ａから送出される新聞Ｐの部数を計数させる。そして、最後のスタックの２０部のバッチ作成の過程で、送出口カウンタ２５による新聞Ｐのカウント数が２０になったときに、図３（ｂ）に示すように、シャッタ１１４，１１４及びガイド１１２，１１２を位置Ａから位置Ｂに回動させる。２０部目の新聞Ｐを確実に紙束作成部１４０に受け渡すことができるように、タイマを設けて、送出口カウンタ２５のカウント数が２０になってから若干のタイムラグでシャッタ１１４，１１４及びガイド１１２，１１２が位置Ｂまで回動させるようにするとよい。
これにより、端数分の３部が予紙束作成部１１０に受け渡される。
【００３８】
区分け装置２は、カウンタのカウント数が２３になったときに、ストッパ２２で新聞Ｐを堰き止めて、送出口２ａからの新聞Ｐの送出を禁止する。この間に、バッチ作成部１４０のシャッタ１４４，１４４が開いて、一つ前のバッチ（この場合は２０部のバッチ）が中間受け部１５０に受け渡される。中間受け部１５０にバッチを受け渡すと、シャッタ１４４，１４４は直ちに閉じられる。そして、この後、予紙束作成部１１０のシャッタ１１４，１１４を開いて、予紙束作成部１１０の前記端数の紙束がバッチ作成部１４０に受け渡す。これにより、３部の端数からなるバッチが作成される。さらに、シャッタ１４４，１４４を開いて、前記端数のバッチを中間受け部１５０に受け渡す。前記端数のバッチをバッチ作成部１４０に受け渡すと、シャッタ１１４，１１４及びガイド１１２，１１２が位置Ｂから位置Ａまで回動されるとともに、この位置Ａでシャッタ１１４，１１４が閉じられる。
【００３９】
［高低差の緩和］図４は、小頁数の薄手の新聞でバッチを作成するにあたり、新聞が予期しない方向に偏向したり新聞の端が折れたりしないように、区分け装置２の送出口２ａとバッチ作成部１４０のシャッタ１４４，１４４との間の高低差を小さくしたカウンタスタッカの作用を説明する図である。図４に示す例では、区分け装置２から送出された新聞Ｐを送出口２ａの近傍で受け取る位置Ｂと、位置Ｂよりも下方であって、新聞Ｐを紙束作成部１４０の近傍で受け渡す第三の位置である位置Ｃとの間で、シャッタ１１４，１１４及びガイド１１２，１１２を移動させるようにしている。この説明において位置Ｂは、図３で説明した位置Ｂと同じ位置である。区分け装置２から新聞Ｐの送出が開始される際の初期状態では、シャッタ１１４，１１４によって予紙束作成部１１０の底部が閉じられているとともに、図４（ａ）に示すように、シャッタ１１４，１１４及びガイド１１２，１１２が位置Ｂにあって、シャッタ１１４，１１４を送出口２ａの近傍に位置させている。
【００４０】
送出口２ａから送出された新聞Ｐは、図４（ｂ）に示すように、ガイド１１２，１１２によって左右を案内されながらシャッタ１１４，１１４上に落下するとともに、ガイド１１２，１１２及び当接板１１３に当接して、紙端が揃えられる。
シャッタ１１４，１１４は、一バッチ分の新聞Ｐが受け渡された後に、エアシリンダ１２５の駆動によって図４（ｂ）に示す位置Ｂから図４（ｃ）に示す位置Ｃまで回動するようにしてもよいが、一バッチ分の新聞Ｐが受け渡されるまでの間に、位置Ｂから位置Ｃまで徐々に回動するように構成することも可能である。
【００４１】
一バッチ分の新聞Ｐが受け渡されるまでの間にシャッタ１１４，１１４が位置Ｂから位置Ｃまで徐々に回動するようにするには、例えば、エアシリンダ１２５に供給する単位時間当たりのエア量を制御したり、シャッタ１１４，１１４上に受け渡された新聞Ｐの自重が、エアシリンダ１２５の付勢力に抗してシャッタ１１４，１１４を回動させるようにすることで可能である。このようにすることで、新聞Ｐの最上面と送出口２ａとの高低差をほぼ一定に保ちながら、シャッタ１１４，１１４上に新聞Ｐを受け渡すことが可能になる。
そして、予紙束作成部１１０のシャッタ１１４，１１４上に一バッチ分の新聞Ｐが受け渡され、図４（ｃ）に示すようにシャッタ１１４，１１４及びガイド１１２，１１２が位置Ｃまで移動したときに、ストッパ２２が突出して新聞Ｐの送出を規制する。
【００４２】
この後、図４（ｃ）に示す位置Ｃでシャッタ１１４，１１４を開放させ、一バッチ分の新聞Ｐの紙束をバッチ作成部１４０に受け渡す。新聞Ｐの紙束は、ガイド１１２，１１２，ガイド１４２，１４２及び当接板１１３によって紙端を案内されながら、バッチ作成部１４０に受け渡される。シャッタ１１４，１１４は、新聞Ｐの紙束をバッチ作成部１４０に受け渡した後、閉じられながら位置Ｂまで復帰する。
シャッタ１１４，１１４が位置Ｂまで復帰するまで間に、図４（ｄ）に示すように、ストッパ２２が解除されて、次のバッチの新聞Ｐの送出が開始される。バッチ作成部１４０の新聞Ｐは、この間に、シャッタ１４４，１４４が開いて中間受け部１５０に受け渡される。
【００４３】
なお、特に図示はしないが、複数のエアシリンダ１２５を直列配置する等して、シャッタ１１４，１１４及びガイド１１２，１１２を図３及び図４の位置Ａ，Ｂ，Ｃ間で移動できるようにするとよい。
このようにすることで、図３に示した端数の紙束の形成と、図４に示した小頁数の新聞Ｐにおける紙束作成の両方の機能を予紙束作成部１１０に備えさせることが可能になる。
【００４４】
［カウンタスタッカの他の実施形態］
上記の説明では、ガイドロッド１１１を中心に予紙束作成部１１０を回動させて、シャッタ１１４，１１４の高さ位置を変えるようにしているが、垂直方向に予紙束作成部１１０の高さ位置を変えるように構成することも可能である。
本発明の他の実施形態を、図５を参照しながら説明する。
なお、図５において先の実施形態と同一部材、同一部位には同一の符号を付して、詳しい説明は省略する。
【００４５】
この実施形態の予紙束作成部１１０は、エアシリンダ１２５′のピストンロッド１２６′の伸縮とともに、シャッタ１１４，１１４が鉛直上下方向にその高さ位置を変えることができるようになっている。つまり、図５に示すように、エアシリンダ１２５′が鉛直上下方向に設けられ、この伸縮自在なピストンロッド１２６′の先端にシャッタ１１４，１１４及びガイド１１２，１１２が取り付けられている。シャッタ１１４，１１４及びガイド１１２，１１２は、筐体１０２等に設けられた図示しない鉛直方向ガイドに沿って昇降自在で、シリンダ１２５′が駆動してピストンロッド１２６′が伸長すると、シャッタ１１４，１１４及びガイド１１２，１１２が下降し、ピストンロッド１２６′が縮退すると、シャッタ１１４，１１４及びガイド１１２，１１２が上昇する。
【００４６】
エアシリンダ１２５′は、エア流量の制御や複数個のエアシリンダの組み合わせによって、前記した位置Ａ，Ｂ，Ｃの間で段階的又は連続的に予紙束作成部１１０の高さ位置を変化させることができるものであるのが好ましい。
このようにすることで、図３に示したような端数の紙束の形成と、図４に示したような小頁数の新聞Ｐにおける紙束の作成の両方の機能を、予紙束作成部１１０に備えさせることが可能になる。
【００４７】
この実施形態の紙束作成の手順を、図５（ａ）〜図５（ｄ）を参照しながら説明する。
図５（ａ）に示すように、区分け装置２から新聞Ｐの送出が開始される際の初期状態では、エアシリンダ１２５′のピストンロッド１２６′が縮退していて、予紙束作成部１１０を区分け装置２の送出口２ａの近傍の位置Ｂ（この位置Ｂは図３で説明した位置Ｂと同じである）させている。
【００４８】
この場合、図４（ｂ）及び図４（ｃ）で説明したように、一バッチ分の新聞Ｐが受け渡されるまでの間に、エアシリンダ１２５′のピストンロッド１２６′が徐々に伸長して、シャッタ１１４，１１４を位置Ｂから位置Ｃまで徐々に下降させるようにするとよい。
そして、図５（ｂ）に示すように、予紙束作成部１１０のシャッタ１１４，１１４上に一バッチ分の新聞Ｐの紙束が受け渡されると、ストッパ２２が突出して新聞Ｐの送出を規制し、図５（ｃ）に示す位置Ｃでシャッタ１１４，１１４を開いて、一バッチ分の新聞Ｐをバッチ作成部１４０に受け渡す。この後、シャッタ１１４，１１４が閉じられる。
【００４９】
次いで、図５（ｄ）に示すように、ストッパ２２の解除により、次のバッチの新聞Ｐの送出が開始される。なお、この実施形態においてもシャッタ１１４，１１４及びガイド１１２，１１２は位置Ｂまで復帰し、この間に、バッチ作成部１４０のシャッタ１４４，１４４が開いて、新聞Ｐがバッチ作成部１４０から中間受け部１５０に受け渡される。
なお、この実施形態では、位置Ｂと位置Ｃとの間でシャッタ１１４，１１４及びガイド１１２，１１２を昇降自在にしているが、位置Ａと位置Ｂとの間でシャッタ１１４，１１４及びガイド１１２，１１２を昇降自在にすることも可能である。そして、このように構成することで、垂直方向にシャッタ１１４，１１４及びガイド１１２，１１２を昇降させることで、区分け装置２で区分けすることができない小部数（端数）の紙束を作成することが可能になる。
【００５０】
［区分け装置］
次に、上記構成のカウンタスタッカに用いられる区分け装置の構成及び作用を、図６及び図７を参照しながら説明する。
図６は、区分け装置の一実施形態を示す側面図、図７は、図６の区分け装置の作用を説明する部分拡大図である。
図６に示すように、区分け装置２は新聞Ｐを搬送する搬送キャリア２１と、新聞Ｐの搬送を停止させるストッパ２２とを有している。
搬送キャリア２１は、支持部材２１４に回転自在に取り付けられた上方側の引き抜きローラ２１０ａ及び従動ローラ２１０ｂと、これらローラ２１０ａ，２１０ｂに掛け渡されたベルト２１２と、支持部材２１５に回転自在に取り付けられ、上方側の引き抜きローラ２１０ａとの間で新聞Ｐを挟持する下方側の引き抜きローラ２１１ａ及び従動ローラ２１１ｂと、これらローラ２１１ａ，２１１ｂに掛け渡されたベルト２１３とから構成されている。
【００５１】
上方側の引き抜きローラ２１０ａは図示しないモータに連結されていて、前記モータの駆動によって引き抜きローラ２１０ａ及び従動ローラ２１０ｂが同方向に回転するとともに、ベルト２１２が新聞Ｐを上下の引き抜きローラ２１０ａ，２１１ａの間に引き込む方向に走行する。
下方側の引き抜きローラ２１１ａ，従動ローラ２１１ｂ及び支持部材２１５は、図示しない区分け装置２の筐体に軸２１８によって揺動自在に設けられているとともに、前記筐体に取り付けられたエアシリンダ２１７によって、下方側の引き抜きローラ２１１ａを上方側の引き抜きローラ２１０ａに押し付ける方向に常時付勢されている。
【００５２】
また、前記モータの駆動による上方側の引き抜きローラ２１０ａの回転とともに、下方側の引き抜きローラ２１１ａ及び従動ローラ２１１ｂが回転し、ベルト２１３の上に載置された新聞Ｐを、上下の引き抜きローラ２１０ａ，２１１ａの間に引き込む方向に搬送する。
なお、図示するように、下方側の引き抜きローラ２１１ａよりも上方側の引き抜きローラ２１０ａを、新聞Ｐの搬送方向前方にやや突出させて配置するとよい。このようにすることで、上下の引き抜きローラ２１０ａ，２１１ａの接点を通る接線が下方を向き、引き抜きローラ２１０ａ，２１１ａの間からカウンタスタッカ１に向けて送出される新聞Ｐを常に下方に差し向けることができる。
【００５３】
ストッパ２２は、軸２２０ａによって支持部材２１４に回動自在に設けられたＬ字形のアーム２２０の一端に取り付けられている。このアーム２２０の他端側には、支持部材２１４に取り付けられたエアシリンダ２２２のピストンロッド２２２ａが連結されていて、エアシリンダ２２２の駆動によるピストンロッド２２２ａの伸縮とともに、アーム２２０が軸２２０ａを中心に揺動し、これにともなってストッパ２２が新聞Ｐの搬送路上に出没する。
【００５４】
この実施形態の区分け装置２においてストッパ２２は、ベルト２１３に載置されて搬送される新聞Ｐに対して、常に一定の高さ位置のところに保持される。
すなわち、図７（ａ）に示すように、頁数が少ない薄手の新聞Ｐが搬送されているときの新聞Ｐとストッパ２２との間の間隔をｈとした場合において、前記薄手の新聞Ｐから厚手の新聞Ｐに切り替えられた場合にも、図７（ｂ）に示すように、新聞Ｐとストッパ２２との間の間隔ｈは変化しない。
これは、厚手の新聞Ｐが上下の引き抜きローラ２１０ａ，２１１ａ間を通過するときに、下方側の引き抜きローラ２１１ａがエアシリンダ２１７の付勢力に抗して、新聞Ｐ厚みの増加分だけ押し下げられるためである。
【００５５】
また、予紙束作成部１１０のシャッタ１１４，１１４が位置Ａ（図３で示した位置Ａと同じ位置である）にあるときに、シャッタ１１４，１１４と新聞Ｐとの間隔をＨとした場合、薄手の新聞Ｐから厚手の新聞Ｐに切り替わっても、この間隔Ｈは変化しない。
これは、薄手の新聞Ｐから厚手の新聞Ｐに切り替わっても、新聞Ｐを上方側から押さえている上方側の引き抜きローラ２１０ａの高さ位置は変化しないためである。このことは、厚手の新聞Ｐから薄手の新聞Ｐに切り替わった場合も同じである。
そのため、引き抜きローラ２１０ａ，２１１ａの間から送出される新聞Ｐのきわめて近くに、シャッタ１１４，１１４の待機位置である位置Ａを設定することができ、かつ、この位置Ａは新聞Ｐの厚みにかかわらず常に一定である。そして、送出口２ａから送出される新聞Ｐの部数をカウントする図示しないセンサの検出結果に基づいて、常に一定のタイミング及び一定のスピードですばやくシャッタ１１４，１１４を位置Ａから位置Ｂに移動させることで、少ない部数の端数のバッチを確実に作成することができる。
【００５６】
本発明の好適な実施形態について説明したが、本発明はこの実施形態により何ら限定されるものではない。
例えば、上記の説明では印刷物の一例として新聞を例に挙げて説明したが、本発明では新聞以外の他の印刷物にも適用が可能である。
また、エアシリンダを利用して予紙束作成部の昇降やシャッタの開閉を行うものとして説明したが、エアシリンダに限らず油圧シリンダなどの他の流体圧シリンダも利用が可能である。さらに、ピストンロッドを伸縮させるタイプのエアシリンダを例に挙げて説明したが、ピストンロッドを所定角度回転させるロータリタイプのエアシリンダも使用が可能である。また、シリンダ以外にモータやソレノイド等の他の駆動体を使用することも可能である。
【００５７】
さらに、区分け装置２の計数カウンタや送出口カウンタが部数をカウントし、このカウント数に基づいてエアシリンダ１１９，１２５，１２５′等の駆動の制御を行なうものとして説明したが、部数に限らず印刷物の頁数や、多部数、小部数、多頁、小頁のような紙束の種類（大きさ）に応じて、前記各シリンダの駆動を制御するようにしてもよい。
また、上記の説明で区切り装置２の引き抜きローラ２１１ａ，従動ローラ２１１ｂ，ベルト２１３及び支持部材２１５は、従動ローラ２１１ｂの回転軸と同軸に設けられた軸２１８を中心に揺動するものとして説明したが、軸２１８は必ずしも従動ローラ２１１ｂの回転軸と同軸である必要はなく、また、引き抜きローラ２１１ａ，従動ローラ２１１ｂ及びベルト２１３を支持部材２１５とともに直線方向に進退移動できるように構成してもよい。
【００５８】
【発明の効果】
本発明は上記のように構成されているので、常に印刷物をガイドで案内しながら安定的に紙束作成部に受け渡すことができる。特に、ガイドとシャッタとが一体に設けられているので、予紙束作成部で作成した紙束を十分に紙束作成部に近づけ、かつ、ガイドで印刷物を案内しながら印刷作成部に受け渡すことができる。
そのため、区分け装置と紙束作成部との高低差が高くなっても、安定的に印刷物を紙束作成部に送出して印刷物の偏向や端折れが生じにくいようにすることができる。
また、区分け装置で区分けすることのできない小部数の紙束であっても、簡単に作成することが可能である。さらに、区分け装置で新聞を確実に区分けして、正確な部数の新聞をカウンタスタッカに送出することができる。
【図面の簡単な説明】
【図１】本発明のカウンタスタッカの一実施形態にかかり、その側面図である。
【図２】図１のカウンタスタッカにおける予紙束作成部の平面図である。
【図３】カウンタスタッカの作用及びこのカウンタスタッカにおけるバッチ作成の手順を説明する図である。
【図４】カウンタスタッカの他のバッチ作成の手順を説明する図である。
【図５】本発明の他の実施形態にかかるカウンタスタッカの作用及びこのカウンタスタッカにおけるバッチ作成の手順を説明する図である。
【図６】区分け装置の一実施形態を示す側面図である。
【図７】図６の区分け装置の作用を説明する部分拡大図である。
【符号の説明】
１  カウンタスタッカ
２  区分け装置
２ａ  送出口
２１  搬送キャリア
１０２  筐体
１１０  予紙束作成部
１１１  ガイドロッド
１１２  ガイド
１１３  当接板
１１４  シャッタ
１１５  スライダ
１１６，１１７  シリンダ支持部材
１１９  エアシリンダ（シャッタ開閉用）
１２０  ピストンロッド
１２５，１２５′  エアシリンダ（予紙束作成部昇降用）
１２６，１２６′  ピストンロッド
１４０  バッチ作成部（紙束作成部）
１６０  回転バスケット
２１０ａ，２１１ａ  引き抜きローラ
２１０ｂ，２１１ｂ  従動ローラ
２１２  ベルト
２１３  ベルト（搬送面）
２１７  エアシリンダ（付勢手段）
２２０  アーム
２２２  エアシリンダ
Ｐ  新聞（印刷物）
【図１】
0003599103.tif 000002
【図２】
0003599103.tif 000003
【図３】
0003599103.tif 000004
【図４】
0003599103.tif 000005
【図５】
0003599103.tif 000006
【図６】
0003599103.tif 000007
【図７】
0003599103.tif 000008